(57)【要約】      （修正有）【課題】構造が簡単で、傾斜地での配設作業が容易で、しかも強度にも優れた太陽光発電パネルの設置構造を提供する。【解決手段】地面１に立設した複数本の支柱２に、パイプ状の横桟３と縦桟６を取付け、同縦桟６には太陽光発電パネルの複数枚をセットで嵌着できるように構成した枠体８を取り付けると共に、同枠体を横方向に並設した枠体群の上列と下列の間には間隙を存するように構成した。【選択図】図１
0003178805.tif 000002
【実用新案登録請求の範囲】
【請求項１】
地面に立設した複数本の支柱に、パイプ状の横桟と縦桟を取付け、同縦桟には太陽光発電パネルの複数枚をセットで嵌着できるように構成した枠体を取り付けると共に、同枠体を横方向に並設した枠体群の上列と下列の間には間隙を存するように構成したことを特徴とする太陽光発電パネルの配置構造
【考案の詳細な説明】
【技術分野】
【０００１】    本考案は、太陽光発電パネルの配置構造に関するものであり、更に詳細には、荒れ地や耕作放棄地等を利用した比較的小規模の、太陽光エネルギーを高効率で得るための太陽光発電パネルの配置構造に関するものである。
【背景技術】
【０００２】  太陽光発電装置は、二酸化炭素を発生させることなくクリーンな電気エネルギーを得られることから、地球温暖化防止の対策として脚光を浴びている現状である。東日本大震災以後、特に原子力エネルギーにかわる代替エネルギーとして注目されているところである。しかしながら、従来、太陽光発電装置そのものが高価なものであったため普及が遅れており、近年、製造技術と製品品質の進歩と、地球温暖化を憂慮して設置する一般家庭や事業所が増加しており次第に普及する傾向に成りつつある。【０００３】  また、人為的な環境破壊によって刻々と悪化する地球環境に、先進国を初めとする各国が協力して二酸化炭素の排出量の削減を進めており、我が国でも太陽光発電装置を取り付ける時の公的な援助がある。太陽光や風力などで発電した電力を電力会社が買い取る再生可能エネルギーの全量買い取り制度が、このほどスタートした。原発依存からの脱却を掲げる政府は制度導入により、再生エネによる発電への新規参入を促し、普及を後押しする。１キロワット時あたりの買い取り価格は、太陽光が４２円となっている。【０００４】  一方、農山村においては後継者不足等により南向きの日当たりのよい土地であっても休耕地化、荒廃地化してきている。このような実情に鑑み従来利用されていない南向きの土地に太陽光発電パネルを配置する構造について提案するものである。【０００５】  従来住宅においては、家屋の屋根上に太陽電池モジュールを配設して利用されることが多いため、屋根上への太陽電池モジュールの取付け構造が種々提案されている。
例えば、太陽電池モジュールの配設作業が容易で、作業工数が少なく施工作業が簡単で、しかも輸送しやすく強度にも優れた太陽電池モジュールを架台上に設置する太陽電池モジュールの設置方法として、角部を有する太陽電池パネルの各端部にそれぞれ取り付けまたは取り外しのできる枠体を装着した太陽電池モジュールが提案されている（特許文献１参照）。
【先行技術文献】
【特許文献】
【０００６】
【特許文献１】特開２００５−１５９１７５号公報
【考案の概要】
【考案が解決しようとする課題】
【０００７】  しかしながら、住宅の屋根用としての太陽光発電パネルの設置については種々提案されているものの荒れ地や耕作放棄地など傾斜地等へ適用される設置構造は殆ど見当たらなかった。
【課題を解決するための手段】
【０００８】  この考案は傾斜地向けに、簡単に設置するために、地面に立設した複数本の支柱に、パイプ状の横桟と縦桟を取付け、同縦桟には太陽光発電パネルの複数枚をセットで嵌着できるように構成した枠体を取り付けると共に、同枠体を横方向に並設した枠体群の上列と下列の間には間隙を存するように構成したことを特徴とする。
【考案の効果】
【０００９】  設置作業が効率よくしかも安価に設置できる。また、太陽光発電パネルへの風の抵抗を押さえることができる。さらに太陽光発電パネル装置の下では、日陰を利用してしいたけ栽培などに適した環境を整えることができる。
【図面の簡単な説明】
【００１０】
【図１】本考案の１実施例を示す斜視図
【図２】本考案太陽光発電パネルの全体平面図
【図３】本考案太陽光発電パネルの取付枠体を示す平面図
【実施例】
【００１１】  本考案の１実施例を図面を用いて説明する。図１において、地面１に立設した複数本の支柱２に、パイプ状の横桟３を取付金具４で固定する。さらに前記パイプ状の横桟３には取付金具５でパイプ状の縦桟６を取付ける。これは、建物などを建築する際に足場を組み付ける要領に類似している。【００１２】  つぎに、縦桟６には、太陽光発電パネル７の複数枚をセットで嵌着できるように構成した枠体８をＵバンド９で固定する。同枠体８は、図３に示すように周囲をアングル材で構成され、同アングル材の一部すなわち一枚の発電パネル７の幅分だけを取り外し可能な脱着材１０としている。【００１３】  このような枠体８に太陽光発電パネル７を組み込む際には、図３に示すようにまず脱着材１０を取り外しそこから太陽光発電パネル７を枠体８内に落とし込みそのパネル７を矢印のように左側にスライドさせ、４枚の発電パネル７を組み込み終えたら脱着材１０を取り付けて固定する。ひとつの枠体８に収納される発電パネル７は４枚の例を示したが、これに限定されることなく３枚用あるいは６枚用を選択することもできる。【００１４】  また、横方向に隣り合う枠体８同志は、その背面で図２に示すように連結金具１３で固定する。そして、第２図に示すように横方向に３つの枠体８を連結している。土地の形状が許せば横方向一列に１０個の枠体８を連結するようにしてもよい。なおまた、枠体８を横方向に並設した枠体群の上列と下列の間には図２に示すように間隙１１を存するように構成されている。【００１５】  １２は支柱２を補強するためのワイヤである。ワイヤ１２の使用本数は、必要に応じて複数本に追加することもできる。【００１６】  この太陽光発電パネルの設置場所は、休耕地や耕作放棄地はもちろん、高速道路の法面などにも設置できる。傾斜地に限らず平地でもよいが、いずれにしてもパネルの傾斜角が１０度〜３０度を南側に保つようにするのがよい。さらに傾斜地は南向きがベターであるが、東南や南西向きであっても、支柱２と横桟３の取付高さを変更することにより、太陽光発電パネルの向きが略南向きとなるよう調整する。【００１７】  なおまた、図１において支柱２は地面１に対してほぼ垂直に立設した場合について示しているが、高速道路の法面などの急傾斜地に支柱２を建てる場合には、地面に直角に立設するのがよい。その理由は、支柱の強度を保つのに都合がよいことと、下側の支柱の長さを極端に長くしないで済むことである。このような場合はワイヤ１２による補強を十分に行うことが必要である。また、急傾斜地に設置するときのパネルの傾斜角は、３０度を超え４５度もしくはそれ以上とすることもできる。その場合でも発電量にそれほど影響することはない。【００１８】  ここで、図２に示すような４枚の太陽光発電パネルを組み込んだ枠体１５個、すなわち太陽光発電パネル６０枚を設置した場合を考える。１枚当たりのパネル出力は２００Ｗであるから、一日平均３Ｈの日照時間とすると、３６ＫＷｈ／日となる。
それに要する土地の設置面積は、凡そ縦９ｍ、横１０ｍである。
【産業上の利用可能性】
【００１９】  このように本考案では地面に立設した複数本の支柱に、パイプ状の横桟と縦桟を取付け、同縦桟には太陽光発電パネルの複数枚をセットで嵌着できるように構成した枠体を取り付けると共に、同枠体を横方向に並設した枠体群の上列と下列の間には間隙を存するように構成したので、構造が簡単で、傾斜地での配設作業が容易で、しかも強度にも優れた太陽光発電パネルの設置構造が提供できた。また、設置する土地の大きさに応じて小規模から大規模まで簡単な組み立て作業によりどこにでも容易に設置できる。【００２０】    さらに、太陽光発電パネルの上列と下列の間に隙間を設けているので、風の通りがよく、強風にも耐えることが出来る。しかもパネルの設置面下は、風通しよい日陰を作りだすことから、茸類特にしいたけ栽培にも適用できるのである。
【符号の説明】
【００２１】  １    地面
２    支柱
３    横桟
４    取付金具
５    取付金具
６    縦桟
７    太陽光発電パネル
８    枠体
９    Ｕバンド
１０  脱着材
１１  間隙
１２  ワイヤ
１３  連結金具
【図１】
0003178805.tif 000003
【図２】
0003178805.tif 000004
【図３】
0003178805.tif 000005